(57)【要約】　　　（修正有）【課題】法人等の団体使用における携帯電話料金をコンピュータを用いて最適化できる方法及びこれを実行するサーバ、最適化方法及びこれを実行するコンピュータプログラムを提供する。【解決手段】電話番号で特定される複数の回線と前記回線で使用した回線使用時間、通話時間帯及び通話先との対応関係を通信回線を介して取得・記憶する記憶部と、各回線と、この回線毎に割り当てた料金プランの対応関係を記憶している回線・料金プランデータベースと、各回線に割り当てた料金プランに基づいて、料金プラン毎に使用料金を予測算出し、予測算出された料金プラン毎の使用料金中、最適な料金となる最適料金プランを抽出し、各回線ごとに対応させて記憶する最適料金プラン抽出記憶部と、抽出記憶部に記憶された最適料金プランでの回線料金総額を計算し記憶する回線料金総額計算記憶部とを設け、携帯電話料金の最適化を実行する。【選択図】　図１
2004112704.tif 000002
【特許請求の範囲】
【請求項１】
コンピュータを用いて携帯電話料金の最適化実行するサーバであって、
電話番号で特定される複数の回線と前記回線で使用した回線使用時間、通話時間帯及び通話先との対応関係を通信回線を介して取得し、記憶する取得記憶手段と、
各回線と、この回線毎に割り当てた料金プランの対応関係を記憶している回線・料金プランデータベースと、
各回線に割り当てた料金プランに基づいて、前記取得記憶手段に記憶された対応関係より、各回線の使用料金を計算し、その使用料金の総額を計算し記憶する使用料金総額計算記憶手段と、
提供されている料金プランその基礎データを記憶している料金プランデータベースと、
各回線毎に、料金プラン毎の基礎的データを記憶している料金プランデータベースに記憶されたすべての料金プランを、前記取得工程で取得した対応関係に適用して、料金プラン毎に使用料金を予測算出し、予測算出された料金プラン毎の使用料金中、最適な料金となる最適料金プランを抽出し、各回線ごとに対応させて記憶する最適料金プラン抽出記憶部と、
前記抽出記憶部に記憶された最適料金プランでの回線料金総額を計算し、記憶する回線料金総額計算記憶部と、
回線料金総額と、その量に応じた割引率とを対応させて記憶している割引率データベースと、
前記使用料金総額計算記憶手段に記憶された使用料総額を前記割引率データベースに適用し、割引率を求め、求められた割引率を前記使用料総額に適用して、割引後使用料総額を計算し記憶する割引後使用料総額記憶手段と、
回線料金総額記憶部に記憶された最適料金プランでの回線料金総額と、前記割引後使用料総額記憶手段に記憶されている割引後使用料総額とを比較する比較手段と、
前記比較手段で、割引後使用料総額が、回線料金総額記憶部に記憶された最適料金プランでの回線料金総額より少なく、前記回線・料金プランデータベースの各回線毎に割り当てた料金プラン前記最適料金プラン抽出工程で抽出された最適料金プランが異なる場合には、前記最適料金プランに書き換え、一致する場合に、書き換えないように、前記回線・料金プランデータベースを更新し、また、前記比較手段で、割引後使用料総額が、回線料金総額記憶部に記憶された最適料金プランでの回線料金総額より少なくないときは、前記回線・料金データベースのデータを更新しないデータ更新手段とを含む、携帯電話料金の最適化サーバ。
【請求項２】
コンピュータを用いて携帯電話料金の最適化を実施する方法であって、
コンピュータが、電話番号で特定される複数の回線と前記回線で使用した回線使用時間、通話時間帯及び通話先との対応関係を通信回線を介して取得し、記憶する取得記憶工程と、
コンピュータが、各回線と、この回線毎に割り当てた料金プランの対応関係を記憶している回線・料金プランデータベースに記憶された料金プランに基づいて、前記取得記憶工程に記憶された対応関係より、各回線の使用料金を計算し、その使用料金の総額を計算し記憶する使用料金総額計算記憶工程と、
コンピュータが、各回線毎に、提供されている料金プランその基礎データを記憶している料金プランデータベースに記憶されたすべての料金プランを、前記取得工程で取得した対応関係に適用して、料金プラン毎に使用料金を予測算出し、予測算出された料金プラン毎の使用料金中、最適な料金となる最適料金プランを抽出し、各回線ごとに対応させて記憶する最適料金プラン抽出記憶工程と、
コンピュータが、前記抽出記憶部に記憶された最適料金プランでの回線料金総額を計算し、記憶する回線料金総額計算記憶工程と、
コンピュータが、前記使用料金総額計算記憶手段に記憶された使用料総額を、回線料金総額と、その量に応じた割引率とを対応させて記憶している割引率データベースに適用し、割引率を求め、求められた割引率を前記使用料総額に適用して、割引後使用料総額を計算し記憶する割引後使用料総額記憶工程と、
コンピュータが、回線料金総額記憶部に記憶された最適料金プランでの回線料金総額と、前記割引後使用料総額記憶手段に記憶されている割引後使用料総額とを比較する比較工程と、
コンピュータが、前記比較手段で、割引後使用料総額が、回線料金総額記憶部に記憶された最適料金プランでの回線料金総額より少なく、前記回線・料金プランデータベースの各回線毎に割り当てた料金プラン前記最適料金プラン抽出工程で抽出された最適料金プランが異なる場合には、前記最適料金プランに書き換え、一致する場合に、書き換えないように、前記回線・料金プランデータベースを更新し、また、前記比較工程で、割引後使用料総額が、回線料金総額記憶部に記憶された最適料金プランでの回線料金総額より少なくないときは、前記回線・料金データベースのデータを更新しないデータ更新工程とを含むコンピュータを用いて携帯電話料金の最適化を実施する方法。
【請求項３】
コンピュータに、電話番号で特定される複数の回線と前記回線で使用した回線使用時間、通話時間帯及び通話先との対応関係を通信回線を介して取得し、記憶する取得記憶工程と、
各回線と、この回線毎に割り当てた料金プランの対応関係を記憶している回線・料金プランデータベースに記憶された料金プランに基づいて、前記取得記憶工程に記憶された対応関係より、各回線の使用料金を計算し、その使用料金の総額を計算し記憶する使用料金総額計算記憶工程と、
各回線毎に、提供されている料金プランその基礎データを記憶している料金プランデータベースに記憶されたすべての料金プランを、前記取得工程で取得した対応関係に適用して、料金プラン毎に使用料金を予測算出し、予測算出された料金プラン毎の使用料金中、最適な料金となる最適料金プランを抽出し、各回線ごとに対応させて記憶する最適料金プラン抽出記憶工程と、
前記抽出記憶部に記憶された最適料金プランでの回線料金総額を計算し、記憶する回線料金総額計算記憶工程と、
前記使用料金総額計算記憶手段に記憶された使用料総額を、回線料金総額と、その量に応じた割引率とを対応させて記憶している割引率データベースに適用し、割引率を求め、求められた割引率を前記使用料総額に適用して、割引後使用料総額を計算し記憶する割引後使用料総額記憶工程と、
回線料金総額記憶部に記憶された最適料金プランでの回線料金総額と、前記割引後使用料総額記憶手段に記憶されている割引後使用料総額とを比較する比較工程と、
前記比較手段で、割引後使用料総額が、回線料金総額記憶部に記憶された最適料金プランでの回線料金総額より少なく、前記回線・料金プランデータベースの各回線毎に割り当てた料金プラン前記最適料金プラン抽出工程で抽出された最適料金プランが異なる場合には、前記最適料金プランに書き換え、一致する場合に、書き換えないように、前記回線・料金プランデータベースを更新し、また、前記比較工程で、割引後使用料総額が、回線料金総額記憶部に記憶された最適料金プランでの回線料金総額より少なくないときは、前記回線・料金データベースのデータを更新しないデータ更新工程とを実施させるコンピュータプログラム。
【発明の詳細な説明】
【０００１】
【発明の属する技術分野】
本発明は、携帯電話料金を選択する方法であって、特に詳細には、多数の携帯電話料金を自動で最適な料金プランを選択する方法である。
【０００２】
【従来の技術】
現在、携帯電話料金は、種々の使用状態に対応できるように複数の料金パターンが存在し、携帯電話の使用者は、使用状態を予測して、適切と思われる料金パターンを選択し、携帯電話を使用している。そして、平均通話料金を算出し、これに基づいて、最適料金プランを検出し、使用者の通知可能とする移動体通信装置がある（例えば特開２００１−３０９０８９号参照）。
【特許文献１】特開２００１−３０９０８９号
【０００３】
上記公報に開示されている移動体通信装置では、移動体通信装置、すなわち、携帯電話機側で、最適料金プランを検索し、携帯電話機の使用者に、提示し、料金プランの変更を提案している。
多くの会社員を抱える企業体で、各社員に携帯電話を付与し、その使用料金を肩代わりしている場合には、それぞれの携帯電話の使用料金の総額を抑制することは急務となってきている。しかし、上記公報に開示される方法では、その料金プランの選択が、携帯電話の使用者にゆだねられ、十分な使用料金の抑制ができていなかった。また、多数の携帯電話の使用に際して適用される法人割引を考慮することは、まったく考えられていなかった。
【０００４】
【発明が解決しようとする課題】
そこで、本発明は、上記の問題点を解決し、多数の携帯電話使用時の法人割引を考慮しつつ、携帯電話の使用料金の総額を抑制し、各携帯電話に対して最適な料金パターンを適用できるようにした、コンピュータを用いた携帯電話料金の最適化方法及それを実行するためのコンピュータプログラムを提供することを目的とする。
【０００５】
【課題を解決するための手段】
上記目的を達成するために、本発明は、コンピュータを用いて携帯電話料金の最適化するためのサーバであって、電話番号で特定される複数の回線と前記回線で使用した回線使用時間、通話時間帯及び通話先との対応関係を通信回線を介して取得し、記憶する取得記憶手段と、各回線と、この回線毎に割り当てた料金プランの対応関係を記憶している回線・料金プランデータベースと、各回線に割り当てた料金プランに基づいて、前記取得記憶手段に記憶された対応関係より、各回線の使用料金を計算し、その使用料金の総額を計算し記憶する使用料金総額計算記憶手段と、提供されている料金プランその基礎データを記憶している料金プランデータベースと、各回線毎に、料金プラン毎の基礎的データを記憶している料金プランデータベースに記憶されたすべての料金プランを、前記取得工程で取得した対応関係に適用して、料金プラン毎に使用料金を予測算出し、予測算出された料金プラン毎の使用料金中、最適な料金となる最適料金プランを抽出し、各回線ごとに対応させて記憶する最適料金プラン抽出記憶部と、前記抽出記憶部に記憶された最適料金プランでの回線料金総額を計算し、記憶する回線料金総額計算記憶部と、回線料金総額と、その量に応じた割引率とを対応させて記憶している割引率データベースと、前記使用料金総額計算記憶手段に記憶された使用料総額を前記割引率データベースに適用し、割引率を求め、求められた割引率を前記使用料総額に適用して、割引後使用料総額を計算し記憶する割引後使用料総額記憶手段と、回線料金総額記憶部に記憶された最適料金プランでの回線料金総額と、前記割引後使用料総額記憶手段に記憶されている割引後使用料総額とを比較する比較手段と、前記比較手段で、割引後使用料総額が、回線料金総額記憶部に記憶された最適料金プランでの回線料金総額より少なく、前記回線・料金プランデータベースの各回線毎に割り当てた料金プラン前記最適料金プラン抽出工程で抽出された最適料金プランが異なる場合には、前記最適料金プランに書き換え、一致する場合に、書き換えないように、前記回線・料金プランデータベースを更新し、また、前記比較手段で、割引後使用料総額が、回線料金総額記憶部に記憶された最適料金プランでの回線料金総額より少なくないときは、前記回線・料金データベースのデータを更新しないデータ更新手段とを含む、携帯電話料金の最適化サーバを提供することを目的とする。
【０００６】
更に、本発明は、コンピュータを用いて携帯電話料金の最適化を実施する方法であって、コンピュータが、電話番号で特定される複数の回線と前記回線で使用した回線使用時間、通話時間帯及び通話先との対応関係を通信回線を介して取得し、記憶する取得記憶工程と、コンピュータが、各回線と、この回線毎に割り当てた料金プランの対応関係を記憶している回線・料金プランデータベースに記憶された料金プランに基づいて、前記取得記憶工程に記憶された対応関係より、各回線の使用料金を計算し、その使用料金の総額を計算し記憶する使用料金総額計算記憶工程と、コンピュータが、各回線毎に、提供されている料金プランその基礎データを記憶している料金プランデータベースに記憶されたすべての料金プランを、前記取得工程で取得した対応関係に適用して、料金プラン毎に使用料金を予測算出し、予測算出された料金プラン毎の使用料金中、最適な料金となる最適料金プランを抽出し、各回線ごとに対応させて記憶する最適料金プラン抽出記憶工程と、コンピュータが、前記抽出記憶部に記憶された最適料金プランでの回線料金総額を計算し、記憶する回線料金総額計算記憶工程と、コンピュータが、前記使用料金総額計算記憶手段に記憶された使用料総額を、回線料金総額と、その量に応じた割引率とを対応させて記憶している割引率データベースに適用し、割引率を求め、求められた割引率を前記使用料総額に適用して、割引後使用料総額を計算し記憶する割引後使用料総額記憶工程と、コンピュータが、回線料金総額記憶部に記憶された最適料金プランでの回線料金総額と、前記割引後使用料総額記憶手段に記憶されている割引後使用料総額とを比較する比較工程と、コンピュータが、前記比較手段で、割引後使用料総額が、回線料金総額記憶部に記憶された最適料金プランでの回線料金総額より少なく、前記回線・料金プランデータベースの各回線毎に割り当てた料金プラン前記最適料金プラン抽出工程で抽出された最適料金プランが異なる場合には、前記最適料金プランに書き換え、一致する場合に、書き換えないように、前記回線・料金プランデータベースを更新し、また、前記比較工程で、割引後使用料総額が、回線料金総額記憶部に記憶された最適料金プランでの回線料金総額より少なくないときは、前記回線・料金データベースのデータを更新しないデータ更新工程とを含むコンピュータを用いて携帯電話料金の最適化を実施する方法を提供することを目的とする。
【０００７】
以上のように、本発明の携帯電話料金を最適化する方法では、複数の回線毎に、過去の使用状態より、その回線毎に、最適な料金プランを抽出して、現在の料金プランより、最適な料金プランがある場合には、適用される料金プランを自動的に変更し、複数の携帯電話の利用料金の総計での割引を考慮して最適化することができる。このため、特に法人利用においては、携帯電話の使用料金を自動的に大幅に削減できるのである。
【０００８】
【発明の実施の形態】
以下、図面を参照して本発明の携帯電話料金の最適化方法の一実施例を説明する。実現するコンピュータ構成の一実施態様を説明する。図１は本発明の携帯電話料金の最適化方法を実現するコンピュータ構成の一実施態様を示すブロック図である。
【０００９】
図１に示すように、コンピュータで構成されるサーバ（例えば、ＡＳＰ）１は、各携帯電話会社甲、乙から、通信回線等２及びデータ入出力部３を介して送信、入力される携帯電話番号毎の使用状況を記憶する使用料金記憶手段１０と、各携帯電話会社甲、乙より通信回線等２及びデータ入出力部３を介して取得される料金プラン情報を記憶している料金プラン・データベース２０とを備えている。更に、本サーバ１は、契約されている携帯電話番号と、その携帯電話番号で特定される使用者と、その使用者の所属と、その携帯電話番号での現在の料金プランを互いに対応させて記憶している顧客情報データベース３０と、携帯電話料金の総額とこれに対応した法人割引率を記憶している法人割引率・データベース６０とを備えている。そして、このサーバ１は、これらの記憶手段、データベースより、データを抽出し、使用状況に応じて、最適な利用プランを決定する料金シミュレーション部４０を備え、この料金シミュレーション部４０により決定された電話番号毎の最適料金プランは、通信回線等２及び入出力部３を介して、各携帯電話会社甲、乙に料金プラン変更等を申請する代理店、さらには、このサーバ１に接続されたクライアントに出力される。そして、使用料金記憶手段１０及び料金プラン・データベース２０、法人割引率・データベース６０は、一定期間ごとに、例えば１ヵ月毎に、各携帯電話会社より各電話番号毎の使用状況、最新の料金プラン情報及び最新の法人割引率情報を取得するように構成されている。ここで、本サーバ１と携帯電話会社甲、乙との情報交換は、電子データで行われても、また書面で行われてもよい。特に、このサーバ１は、ＡＳＰとして機能し、最適化した際の使用料金データを、インターネット等の通信回線等２を介して接続されている各クライアント（企業）に、送信するように構成され、また、顧客情報データベース３０に記憶されているデータを用いて使用者の所属部署ごとに振り分け、取りまとめ、所属部署ごとに、その所属部署の総使用料を振り分けて送信できるように構成してもよい。
【００１０】
料金シミュレーション部４０は、使用料金記憶手段１０、料金プラン・データベース２０、更には、法人割引率データベース６０に接続され、これらの記憶手段、データベースより随時、必要なときに情報データを取り込むことができるように構成されている。また、この料金シミュレーション部４０は、顧客情報データベース３０にも双方向的に接続され、この顧客情報データベース３０からのデータを取り込むともに、この顧客情報データベース３０に収容されている携帯電話番号毎に割り当てられた料金プランを更新できるように構成されている。
【０００１１】
また、使用料金記憶手段１０のデータ記憶構造は、図２に示すような構成を有し、携帯電話会社により定期的（例えば１ヵ月毎に）に取り込まれる。そして、各データは、携帯電話番号、この携帯電話番号を用いて通話した通話先、通話開始時間及び通話終了時間で構成されている。また図２に示すように、複数の携帯電話番号が、一緒に一つのデータベース上に記憶されている。
【００１２】
料金プラン・データベース２０は、図３に示すようなデータ構成を有し、携帯電話会社毎に、複数の料金プラン、例えば、携帯電話会社甲では、Ａ、Ｂ、Ｇ、Ｌ、Ｍプランがありそれぞれに、基本料金、無料時間、無料時間を越えた場合の単位時間当たりの使用料金が設定され、また携帯電話会社乙では、料金プランＸ、Ｅ、Ｐ、Ｑが設けられ、そのそれぞれに、基本料金、無料時間、無料時間を越えた場合の単位時間当たりの使用料金が設定されている。そして、これらの料金プランは、常に最新のものになるように、定期的に携帯電話会社からデータ取得を行い、最新のものに更新されている。
【００１３】
顧客情報報データベース３０は、図４に示すようなデータ構成を有し、携帯電話番号をキーに、この携帯電話番号で特定される携帯電話機を使用している使用者、この使用者の社内での所属、そして、この携帯電話番号の使用に際して適用されている現在の料金プラン等を記憶している。
【００１４】
法人割引率データベース６０は、図５に示すようなデータ構造を有し、総携帯電話料金額に応じた割引率が、その総額と対応して段階的に記憶されている。
【００１５】
また、料金シミュレーション部４０は、データ演算を行う中央演算処理装置ＣＰＵと、各情報及び演算結果等を一時的に格納し、ＣＰＵでの演算を助けるメモリとより構成され、各記憶手段、データベースよりデータを受け取り、各電話番号毎の料金プランの基づいた料金を計算するとともに、各回線に応じた最適料金プランの決定する。更に、使用料金記憶手段１０に記憶されたデータを用いて、現在の各料金プランで使用料総額を計算し、一時的に記憶する記憶機能を備えており、更に、法人割引率データベース６０に記憶されたデータより、現在の使用総額に応じた割引率を適用し、割引後の使用料総額を演算記憶する機能も有している。
【００１６】
更に、料金シミュレーション部４０では、上述のように求められた各回線毎の最適料金プランを適用した後の使用料総額と、上述の割引後の使用料総額とを比較し、この比較結果に基づいて、本料金シミュレーション部４０で求められた最適料金プランを各回線の適用するかどうかを決定する。
【００１７】
具体的には、割引後の使用料総額が、最適料金プラン適用後の使用料総額と同じ又は、低い場合には、各回線の料金プランの変更を行わず、もし高い場合には、各回線毎に最適料金プランを適用できるように、顧客情報データベース３０の各回線の料金プランを変更する。すなわち、この料金シミュレーション部４０で求められた最適料金プランが、現在割り当てられている料金プラン異なる場合には、顧客情報データベース３０の該当する回線の料金プランを求められた最適料金プランに更新し、もし、この料金シミュレーション部４０で求められた最適料金プランが、現在割り当てられている料金プラン同じ場合には、現在の料金プランの状態で保持するように、料金シミュレーション部４０は、顧客情報データベース３０を制御する。
【００１８】
次に、上述のサーバ１を用いて、本発明の一実施態様である携帯電話料金の最適化手順を、図６に示すフローチャートを用いて説明する。なお、当業者であれば、以下に示す手順を、コンピュータ等のサーバ１で実現するためのコンピュータプログラムは、容易に作成することができるので、コンピュータプログラムについては、記載を省略する。
【００１９】
図６に示すように、工程５１では、各携帯電話会社から、各携帯電話番号で使用された使用状況データを使用料金記憶手段１０に取り込み記憶する。取り込み記憶する形式は、先に説明した図２に示す形態である。また、取り込み方法は、通信回線等２及び入出力部３を介して、自動的にデータで取り込んでもよいし、また、書面で提示された携帯電話番号毎の使用状況を、入出部３にキーボード等を接続し、これより手動で入力し取り込んでよい。
【００２０】
次に工程５２では、料金シミュレーション部が、携帯電話番号毎に現在契約している料金プランを、顧客情報データベース３０から取り出し、工程５１で取り込まれた携帯電話番号毎の使用状況データから、その携帯電話番号に対応して取り出された料金プランに基づいて、使用料金を計算する。そして、その回線全部の総額使用料を計算し記憶する。この計算方法は、無料時間、使用時間、通話先にもとづいているが、通常行われている方法なので詳細は省略する。
【００２１】
次に工程５３では、料金シミュレーション部４０が、上記工程５１で取り込み記憶された使用状況データに、料金プラン・データベース２０に記憶保持されているすべての料金プランを適用し、各料金プランでの使用料を計算し、その中から最適料金（最も安い）のシミュレーションを行う。この詳細は、以下に図７を用いて行います。
【００２２】
次に工程５４では、料金シミュレーション部４０が、上記工程５２で得られた、現在の契約中の料金プランに基づいて計算された使用料総額に、法人割引データベース６０より得られたその使用料総額に対応する割引率を適用し、割引後の使用料総額を計算し、記憶する。
【００２３】
次に工程５５では、料金シミュレーション部４０が、現在携帯電話番号で契約している料金プランでの割引後使用料総額と、上記工程５３で得られた携帯電話番号毎の最適料金プランを適用した際の使用料総額とを比較する。
【００２４】
具体的には、工程５３で得られた最適料金プランに基づいてシミュレーションされた使用料の総額と、工程５４で得られた現在の契約中の料金プランでの割引後の使用料総額とを比較する。
【００２５】
次に、工程５６では、料金シミュレーション部４０が、工程５５の比較に基づいて、割引後の使用料総額が、最適料金プラン適用後の予測使用料総額より大きくないときは、料金プランの変更の必要性なしと判断し、現在契約中の料金プランを変更せず、顧客情報データベース３０の料金プランデータを変更せず、大きいときは、工程５３で得られた最適料金プランを各回線に適用するため、顧客情報データベース３０の料金プランデータを更新する。
【００２６】
このようにして、携帯電話番号全体での使用料総額を、定期的に、すなわち、料金プラン変更可能時期ごとに、最適化することができる、特に、多量の携帯電話を使用している企業体に適用する場合には、携帯電話使用料をそのそれぞれに使用状況及び複数回線割引を考慮して自動的の変更し、料金の最適化を図っているため、事務の効率化はもちろん大幅な経費の節約になる。
【００２７】
次に図６の工程５３で説明した回線毎の最適料金プランのシミュレーションについて、図７に示すフローチャートを用いて説明する。
【００２８】
図７に示すように回線毎の最適料金プランのシミュレーションは、料金シミュレーション部４０により実行され、料金データベース１０より携帯電話番号毎に使用状況を取得する工程６１、使用状況から、各料金プラン毎にそれらに規定される無料通話分を差し引き、各料金プラン毎に実通話時間を計算する工程６２と、この実通話時間に基づいて通話料を計算し、各料金プランの基本料金を加算し、それぞれの料金プランを適用した場合の予想使用料を、各携帯電話番号毎に算出する工程６３と、各携帯電話番号毎で、すべての料金プラン毎に算出された予想使用料金から、最適（最小）の予想使用料金の料金プランを決定する工程６４とより構成され、この工程順に実施することにより、各形態電話番号毎の最適料金プランが決定できる。
【００２９】
また、料金プランには別に、通話先を指定することにより、その通話先への通話料金を料金プランに規定された使用時間あたりの使用料を軽減できるものも設けられている場合がある。
【００３０】
このようなオプションを考慮して、最適料金プランを算出し、更に、各携帯電話会社から取り込んだ携帯電話番号毎の使用状況より、通話先指定を、最も使用頻度の高い通話先に、料金プランの更新時に合わせて変更すように構成することもできる。
【００３１】
本発明は、上記実施例に限定されず、種々の変形例が考えられる。
【００３２】
【発明の効果】
以上のように、本発明の携帯電話料金を最適化する方法では、複数の回線毎に、過去の使用状態より、その回線毎に、最適な料金プランを抽出するとともに、法人割引を考慮し、現在の料金プランより、最適な料金プランがある場合には、適用される料金プランを自動的に変更し、複数の携帯電話の利用料金の総計を最適化することができる。
【図面の簡単な説明】
【図１】本発明の携帯電話料金の最適化方法を実施するためのコンピュータ構成の一実施態様を示す。
【図２】図１に示す使用料金データ１０のデータ構成を示す。
【図３】図１に示す料金プラン・データベース２０のデータ構成を示す。
【図４】図１に示す顧客情報データベース３０のデータ構成を示す。
【図５】法人割引の割引率を記憶している割引率データベースのデータ構造を示す。
【図６】本発明の携帯電話料金の最適化方法の概略フローチャートを示す。
【図７】図６に示す回線毎の最適料金算出工程の詳細を工程を示す。
【符号の説明】
１・・・コンピュータサーバ
１０・・使用料金記憶手段
２０・・料金プラン・データベース
３０・・顧客情報データベース
４０・・シミュレーション部
３・・入出力部
６０・・法人割引データベース
【図１】
2004112704.tif 000003
【図２】
2004112704.tif 000004
【図３】
2004112704.tif 000005
【図４】
2004112704.tif 000006
【図５】
2004112704.tif 000007
【図６】
2004112704.tif 000008
【図７】
2004112704.tif 000009